(57)【要約】【課題】ケースと液晶パネルのあいだから表示領域への光漏れを低減し、コントラストの低下を防止することができる液晶表示装置を提供する。【解決手段】画像を表示する液晶パネル１と、該液晶パネル１の裏面側に配置されたバックライト２と、画像表示用窓４が形成された、前記液晶パネル１およびバックライト２を収納するためのケース３とからなる液晶表示装置であって、前記画像表示用窓４が形成されたケース３の内側内周部分に光漏洩防止材Ａが設けられている。【選択図】図１
2006154870.tif 000002
【特許請求の範囲】
【請求項１】
画像を表示する液晶パネルと、該液晶パネルの裏面側に配置されたバックライトと、画像表示用窓が形成された、前記液晶パネルおよびバックライトを収納するためのケースとからなる液晶表示装置であって、前記画像表示用窓が形成されたケースと前記液晶パネルとの間に、クッション性を有し、前記バックライトからの光の反射を抑制する、前記ケースとは別部材の光漏洩防止材を、前記光漏洩防止材と前記液晶パネルとの間に隙間を有して、設けたことを特徴とする液晶表示装置。
【請求項２】
前記ケースの内部と前記画像表示用窓との間を前記隙間が貫通することを特徴とする請求項１に記載の液晶表示装置。
【請求項３】
前記光漏洩防止材の厚さは０．０５〜０．５ｍｍであることを特徴とする請求項１または２に記載の液晶表示装置。
【請求項４】
前記光漏洩防止材が光反射防止膜または光反射防止テープからなることを特徴とする請求項１乃至３のいずれかに記載の液晶表示装置。
【発明の詳細な説明】
【技術分野】
【０００１】
本発明は液晶表示装置に関する。さらに詳しくは、ラップトップやパソコンなどのディスプレイに用いられる透過型の液晶表示装置に関する。
【背景技術】
【０００２】
従来の液晶表示装置では、たとえば図５に示すようにバックライト５０から照射された光がケース５１と液晶パネル５２のあいだで反射したのち、液晶表示領域Ｒに漏れていたので、表示領域Ｒの周辺部におけるコントラストが低下し、画質が不鮮明になりやすかった。このため、図５に示すように液晶パネル５２の端部５２ａから表示領域Ｒまでの距離Ｌを広く設けることで反射光の強度を弱くし、上部フレーム５３の画像表示窓５４周辺部からの光の漏れによる表示領域Ｒの周辺部におけるコントラストの低下を防止していた。
【０００３】
ところが、近年の小型化による狭額縁化により前記距離Ｌを狭くしなければならないため、再び表示領域Ｒの周辺部でのコントラストの低下が発生するという問題が生じた。
【０００４】
かかる問題の解決策として、特開平４−２４１３１９号公報に記載されているように、上部フレームから液晶パネルにかけて遮光性テープを貼着することが考えられる。
【発明の開示】
【発明が解決しようとする課題】
【０００５】
しかしながら、前記上部フレームから液晶パネルに遮光性テープを貼着する技術では、該遮光性テープが表示領域内に入り込み、表示領域を狭くする惧れがある。また前記遮光性テープの貼着作業は、液晶パネルをケース内に収納したのち、液晶パネルにキズを付けないように、また液晶パネルに過負荷が掛からないようにしなければならないため、作業性の低下を生じる惧れがある。
【０００６】
本発明は、叙上の事情に鑑み、ケースと液晶パネルのあいだから表示領域への光漏れを低減し、コントラストの低下を防止することができる液晶表示装置を提供することを目的とする。
【課題を解決するための手段】
【０００７】
本発明の液晶表示装置は、画像を表示する液晶パネルと、該液晶パネルの裏面側に配置されたバックライトと、画像表示用窓が形成された、前記液晶パネルおよびバックライトを収納するためのケースとからなる液晶表示装置であって、前記画像表示用窓が形成されたケースと前記液晶パネルとの間に、クッション性を有し、前記バックライトからの光の反射を抑制する、前記ケースとは別部材の光漏洩防止材を、前記光漏洩防止材と前記液晶パネルとの間に隙間を有して、設けたことを特徴としている。
【発明の効果】
【０００８】
以上説明したとおり、本発明によれば、従来、ケースの内側と液晶パネルとのあいだで反射し液晶パネルの表示領域に漏れ出てきた光をほとんど防止することができ、表示領域のコントラストを向上させることができる。
【発明を実施するための最良の形態】
【０００９】
以下、添付図面に基づいて本発明の液晶表示装置を説明する。
【００１０】
図１は本発明の液晶表示装置の一実施の形態を示す断面図、図２は本発明の他の実施の形態を示す断面図、図３は本発明のさらに他の実施の形態を示す断面図、図４は本発明のさらなる他の実施の形態を示す断面図である。
【００１１】
図１に示すように、液晶表示装置は、画像を表示する液晶パネル１と、該液晶パネル１の裏面側に配置されたバックライト２と、前記液晶パネル１およびバックライト２を収納し、保持するためのケース３とを基本構成とし、画像表示用窓４が形成されたケース３の上部フレーム５の内壁面６に光漏洩防止材Ａが設けられている。
【００１２】
前記光漏洩防止材Ａは、光を吸収して光の反射率を抑えるものであれば、とくに限定されないが、たとえば光反射防止膜または光反射防止テープを用いることができる。前記光反射防止膜としては、光学暗箱の内側や天体望遠鏡の鏡筒の内側にスプレーなどで吹き付けられている黒色の塗料などがある。また前記光反射防止テープとしては、光学暗箱の内側や天体望遠鏡の鏡筒の内側に使用されている黒色のベルベット状光吸収体などがある。
【００１３】
前記液晶パネル１としては、薄膜トランジスタが設けられたガラス基板（ＴＦＴ基板）７と、カラーフィルタが設けられたガラス基板（ＣＦ基板）８と、両基板７、８の周辺部を貼り合せるシール材と、両基板７、８のあいだに充填される液晶と、両基板７、８の外側に設けられる偏光板とからなるものを用いることができる。
【００１４】
なお、９は前記液晶パネル１を駆動する回路基板、１０は前記液晶パネル１と回路基板９を接続するリード線である。
【００１５】
また前記バックライト２としては、アクリルなどの合成樹脂からなる透明な板状の導光板１１と、該導光板１１の側面に沿って配置される蛍光灯１２、該蛍光灯１２および導光板１１を囲むように配置される反射板１３と、前記導光板１１からの光を液晶パネル１側に拡散させる拡散板とからなるものを用いることができる。
【００１６】
本実施の形態では、バックライトから照射された光のうち、液晶パネル１の端子部や、液晶パネル１とバックライト２とのあいだから漏れ出て上部フレーム５の内側部分に照射する光は、光漏洩防止材により光の反射率が数％程度まで抑えられるため、液晶パネル１の表示領域Ｒへの光の漏れが低減される。これにより、表示領域Ｒの周辺部におけるコントラストの低下が防止される。
【００１７】
なお、本実施の形態では、前記光漏洩防止材がケースの上部フレームの内壁面における全面に形成されているが、とくにこれに限定されることがなく、少なくともＴＦＴ基板と対向する内壁面だけに形成することができる。または図２に示すように、ケース３の上部フレーム５の内壁面６および側部フレーム１４の内壁面１５に形成することができる。かかる両内壁面６、１５に形成することにより、前記実施の形態よりも液晶パネルの表示領域への光の漏れをさらに低減することができる。
【００１８】
また図３に示すように、前記光漏洩防止材Ａをケース３の上部フレーム５の内壁面６、側部フレーム１４の内壁面１５および下部フレーム１６の内壁面１７にそれぞれ形成することもできる。かかるばあい、光漏洩防止材Ａとして光反射防止膜または光反射防止テープを用いることにより、液晶パネルの表示領域への光の漏れを低減するとともに、前記光反射防止膜または光反射防止テープが液晶パネルおよびバックライトを包み込んで、クッションの役割をするため、耐衝撃性および耐振性が付与される。なお、厚さの管理が容易である光反射防止テープを用いるのが好ましい。たとえば前記光反射防止テープにクッションの役割をさせるためには、厚さを通常０．０５〜０．５ｍｍ程度、好ましくは０．１〜０．３ｍｍ程度にする。
【００１９】
なお、図１〜３に示す実施の形態では、上部フレーム５に画像表示用窓４が形成されたケース３は液晶パネル１とバックライト２を覆う形状にされているが、本発明においては、これに限定されるものではなく、たとえば図４に示すように、ケース２３は下部フレーム２７が一部開いている、または一部しか覆っていないような形状にされていてもよい。かかる液晶表示装置におけるケース２３の内側内周部分、たとえば上部フレーム２５の内壁面２６に光漏洩防止材Ａを設けることにより、前記実施の形態と同様に、液晶パネルの表示領域への光の漏れを防止することができる。
【図面の簡単な説明】
【００２０】
【図１】本発明の液晶表示装置の一実施の形態を示す断面図である。
【図２】本発明の他の実施の形態を示す断面図である。
【図３】本発明のさらに他の実施の形態を示す断面図である。
【図４】本発明のさらなる他の実施の形態を示す断面図である。
【図５】従来の液晶表示装置の一例を示す断面図である。
【符号の説明】
【００２１】
１  液晶パネル
２  バックライト
３  ケース
４  画像表示用窓
５  上部フレーム
６、１５、１７  内壁面
１４  側部フレーム
１６  下部フレーム
Ａ  光漏洩防止材
【図１】
2006154870.tif 000003
【図２】
2006154870.tif 000004
【図３】
2006154870.tif 000005
【図４】
2006154870.tif 000006
【図５】
2006154870.tif 000007